(57)【要約】      （修正有）【課題】狭い領域を共有することができ、且つ、快適さが長時間に持続することができる椅子、及び、劇場を提供する。【解決手段】構造本体座面形成部分３と、構造本体座面形成部分３の後方側で立ち上がる背もたれ部分２とから構成されている。構造本体座面形成部分３の座面は、第１座面５と、第１座面５より前方に位置する第２座面７を有している。第１座面５の横幅は第２座面７の横幅より広いので、第１座面に座る第１者は、第２座面に座る第２者の身体の両側に両脚を位置づけることができ、第１者は長時間的に第２者の後方で座り続けることができ、ダブルチェアの快適さが保証される。【選択図】図１
0003117165.tif 000002
【実用新案登録請求の範囲】
【請求項１】
構造本体座面形成部分と、
前記構造本体座面形成部分の後方側で立ち上がる背もたれ部分とを含み、
前記構造本体座面形成部分の座面は、
第１座面と、
前記第１座面より前方に位置する第２座面を有し、
前記第１座面の横幅は前記第２座面の横幅より広い
室内用の椅子。
【請求項２】
前記第１座面は、前記第２座面の両端線より横方向に延びてい
る
請求項１の室内用の椅子。
【請求項３】
前記第２座面のもっとも低い部位は、前記第１座面のもっとも
高い部位よりも低い
請求項１又は２の室内用の椅子。
【請求項４】
前記第１座面のうちで前記第２座面より横側にある部分は、よ
り横方向に進むに従って後方に曲がっている
請求項１〜３から選択される１請求項の室内用の椅子。
【請求項５】
前記第１座面と前記第２座面の境界領域には、補助背もたれが
配置されている
請求項４の室内用の椅子。
【請求項６】
前記構造本体座面形成部分は、
後方部分と、
前方部分とを備え、
前記前方部分は、前記後方部分に対して分割され、
前記背もたれは前記後方部分に一体的であり、
前記第２座面は前記前方部分に属し、前記第１座面は前記後方部分に属する
請求項１の室内用の椅子。
【請求項７】
第１ゾーンと、
第２ゾーンを含み、
前記第１ゾーンには一人用席が配置され、
前記第２ゾーンには二人用席が配置され、
前記二人用席は、
構造本体座面形成部分と、
前記構造本体座面形成部分の後方側で立ち上がる背もたれ部分とを備え、
前記構造本体座面形成部分の座面は、
第１座面と、
前記第１座面より前方に位置する第２座面を有し、
前記第１座面の横幅は前記第２座面の横幅より広い
劇場。
【考案の詳細な説明】
【技術分野】
【０００１】
本考案は、椅子、及び、音楽ホール、映画館のような劇場に関し、特に、複数
人が同時的に共有的に用いることができる椅子、及び、劇場に関する。
【背景技術】
【０００２】
二人が空間を共有することができるダブルチェアが知られている。公知のダブ
ルチェアは、若いカップルが横方向に隣り合って座ることができる椅子であり、
映画館の内部のような空間で用いられている。
【０００３】
一人のために与えられる空間領域が狭く限定される航空機の中では、幼児とそ
の母親が重なるように空間領域を部分的に共有することができれば、狭い空間を
より有効に利用することができる。そのような場合、快適さが重用視され、特に
、快適さが長時間に持続することが求められる。
【考案の開示】
【考案が解決しようとする課題】
【０００４】
本考案の課題は、狭い領域を共有することができる椅子、及び、劇場を提供す
ることにある。
本考案の他の課題は、狭い領域を共有することができ、且つ、快適さが長時間
に持続することができる椅子、及び、劇場を提供することにある。
【課題を解決するための手段】
【０００５】
その課題を解決するための手段が、下記のように表現される。その表現中に現
れる技術的事項には、括弧（）つきで、番号、記号等が添記されている。その番
号、記号等は、本考案の実施の複数・形態又は複数の実施例のうちの少なくとも
１つの実施の形態又は複数の実施例を構成する技術的事項、特に、その実施の形
態又は実施例に対応する図面に表現されている技術的事項に付せられている参照
番号、参照記号等に一致している。このような参照番号、参照記号は、請求項記
載の技術的事項と実施の形態又は実施例の技術的事項との対応・橋渡しを明確に
している。このような対応・橋渡しは、請求項記載の技術的事項が実施の形態又
は実施例の技術的事項に限定されて解釈されることを意味しない。
【０００６】
本考案による椅子は、構造本体座面形成部分（３）と、構造本体座面形成部分
（３）の後方側で立ち上がる背もたれ部分（２）とから構成されている。構造本
体座面形成部分（３）の座面は、第１座面（５）と、第１座面（５）より前方に
位置する第２座面（７）を有している。第１座面（５）の横幅は第２座面（７）
の横幅より広いので、第２座面に座る第１者は、第１座面に座る第２者の身体の
両側に両脚を位置づけることができ、第１者は長時間的に第２者の後方で座り続
けることができる。全体的な平面形状は、Ｔ字形状、扇形状、台形状のように多
様に変形可能である。
【０００７】
第１座面（５）は、第２座面（７）の両端線より横方向に延びていて、第１者
は両脚の両方を第２者の身体の一方側の片側又は他方側の片側に位置づけること
ができ、脚の疲れに従って両脚の位置を第２者の身体に対して変えることができ
る。
【０００８】
第２座面（７）のもっとも低い部位は、第１座面（５）のもっとも高い部位よ
りも低いことが好ましい。このような高低の調整により、第２者の重心位置は第
１者の重心位置よりも低くなり、縦型ダブルチェアの快適さが保証され、第２者
が第１者の視線を遮ることがなく、後述される劇場用として好適に用いられる。
【０００９】
第１座面（５）のうちで第２座面（７）より横側にある部分は、より横方向に
進むに従って後方に曲がっている。このような曲がりは、第１者の両脚の開脚角
度をより任意にすることができ、更には、両脚を揃えて第２者の側方に位置づけ
ることが容易になり、長時間使用の際に、両脚の疲れを軽減することができる。
このような曲がりが与えられる第１座面は、半円形状であることが好ましい。
【００１０】
第１座面（５）と第２座面（７）の境界領域には、補助背もたれ（９）が配置
されることが好ましい。補助背もたれ（９）は、第１者の上半身の質量のうち第
１者にかかる重力に影響する質量を軽減することができる。
【００１１】
構造本体座面形成部分（３）は、後方部分（３Ａ）と、前方部分（３Ｂ）とを
備え、後方部分（３Ａ）は、前方部分（３Ｂ）に対して分割され、背もたれ（２
）は後方部分（３Ａ）に一体的であり、第２座面（７）は前方部分（３Ｂ）に属
し、第１座面（５）は後方部分（３Ａ）に属する。このような分割は、１つの椅
子を二人用と一人用に使用することを可能にする。
【００１２】
本考案による劇場は、第１ゾーンと、第２ゾーンを含み、第１ゾーンには一人
用席が配置され、第２ゾーンには二人用席が配置される。二人用席として、既述
の本考案による椅子が用いられる。
【考案の効果】
【００１３】
本考案による椅子、及び、劇場は、ダブルチェアの快適さを保証することがで
きる。
【考案を実施するための最良の形態】
【００１４】
図に対応して、本考案による椅子の実施の形態は、座面が１つの椅子に２段的
に設けられている。その椅子１は、構造本体背もたれ部分２と、構造本体座面形
成部分３とから構成されている。構造本体座面形成部分３は、構造本体背もたれ
部分２に一体的に形成され得る。構造本体背もたれ部分２の前面には、背もたれ
柔軟構造部分４が形成されている。構造本体座面形成部分３の後方部分の上面で
ある第１座面５には、第１座面形成柔軟部分６が一体的に又は着脱自在に形成さ
れている。構造本体座面形成部分３の前方部分の上面である第２座面７には、第
２座面形成柔軟部分８が一体的に又は着脱自在に形成されている。
【００１５】
第１座面５の横幅は、第２座面の横幅より広い。第１座面５の両側は、第２座
面７の両端より横方向に延びている。第２座面７のもっとも低い部位は、第１座
面５のもっとも高い部位よりも低いことが好ましい。第１座面５のうちで第２座
面７より横側にある部分は、より横方向に進むに従って後方に曲がって、曲線又
は曲面１０を形成している。第１座面５の横幅が第２座面７の横幅より広いこと
は、第１座面５と第２座面７の前後方向の境界領域で、第１座面５の前方領域の
横幅が第２座面７の後方領域の横幅より広いことを含む。
【００１６】
第１座面形成柔軟部分６は、弾力性と変形性に富んでいる。第２座面形成柔軟
部分８の弾力性と変形性は、第１座面形成柔軟部分６の弾力性と変形性よりもそ
れぞれにより優れている。第１上面５の横幅は、図２に示されるように、第２上
面７の横幅よりも広いことが好ましい。第１座面形成柔軟部分６には、第１者（
例示、男性又は母親）の腰部・脚部領域とそれより上方にある身体部分の第１重
力Ｇ１が圧力として作用する。第２上面７には、第２者（例示、女性又は幼児）
の腰部・脚部領域とそれより上方にある身体部分の第２重力Ｇ２が圧力として作
用する。第２座面形成柔軟部分８は、第２重力を受けて第２者の腰部・脚部の曲
面に対応して弾性的に変形する。その変形により、第２座面形成柔軟部分８の上
面は、断面が横向きのＳ字形に変形する。
【００１７】
第２者の上体は、より傾斜して第１者の胸部領域まで傾倒することは可能であ
る。構造本体背もたれ部分２はより傾斜するように周知のリクライニング機構が
採用され、その傾倒角度は自由に設定されることが好ましい。第１者の開脚姿勢
により両脚に疲れが生じた場合には、第１者の閉じた両脚の側方に第２者の胸部
側方が位置づけられ得る。
【００１８】
図１に示されるように、第２者用の補助背もたれ９が、固定的に又は着脱自在
に配置されることは好ましい。補助背もたれ９は、それの下端部位の両側端部が
簡素な軸受１１に支持されている。補助背もたれ９は、軸受１１の軸心線の周り
のある程度の角度範囲で回転が許容されることが好ましい。補助背もたれ９は、
軸受１１に対して渦巻きばねによりその回転が弾力的であることが好ましい。補
助背もたれ９と軸受１１とは、第１座面５と第２座面７の境界領域に配置されて
いる。
【００１９】
一人使用の場合には、補助背もたれ９は除去されるか、又は、図３に示される
ように、第２座面形成柔軟部分８の上面まで倒されることが好ましい。補助背も
たれ９の前面には、図１に示されるように、補助柔軟部分１２が形成されている
。一人使用の場合には、その一人は、図３に示される使用形態ではなく、図４に
示されるように前方側のみを使用する使用形態に変更することができる。構造本
体背もたれ部分２を倒すことにより、椅子１はシングルベッドに変更され得る。
このような縦型ダブルチェアは、特に、家庭内で使用される。
【００２０】
図５は、本考案による椅子の実施の他の形態を示している。構造本体座面形成
部分３は、構造本体座面形成後方部分３Ａと構造本体座面形成前方部分３Ｂとに
分割されている。構造本体背もたれ部分２と第１座面形成柔軟部分６とは、構造
本体座面形成後方部分３Ａに一体に形成されている。第２座面形成柔軟部分８と
補助背もたれ９とは、構造本体座面形成前方部分３Ｂに一体に形成されている。
構造本体座面形成後方部分３Ａの前方面には、凹面１３Ａが形成されている。構
造本体座面形成前方部分３Ｂの後方面には、凹面１３Ａに密着的に接合する凸面
１３Ｂが形成されている。一人使用の際には、構造本体座面形成後方部分３Ａは
、構造本体座面形成前方部分３Ｂから離脱し、椅子１は２つの椅子として使用さ
れる。
【００２１】
図６は、本考案による椅子の実施の他の形態を示している。劇場、映画館のよ
うな会館には、Ａ席ゾーン、Ｂ席ゾーンの他に、Ｄ席ゾーン（ダブル席ゾーン）
１４が配置されている。Ｄ席ゾーン１４には、本考案による椅子の複数が配置さ
れる。
【図面の簡単な説明】
【００２２】
【図１】図１は、本考案による椅子の実施の形態を示す正面図である。
【図２】図２は、図１の平面図である。
【図３】図３は、図１の椅子の他の使用形態示す正面図である。
【図４】図４は、図１の椅子の更に他の使用形態示す正面図である。
【図５】図５は、本考案による椅子の実施の他の形態を示す正面図である。
【図６】図６は、本考案による椅子の実施の別な形態を示す平面図である。
【符号の説明】
【００２３】
２…背もたれ部分
３…構造本体座面形成部分
５…第１座面
７…第２座面
９…補助背もたれ
３Ａ…後方部分
３Ｂ…前方部分
【図１】
0003117165.tif 000003
【図２】
0003117165.tif 000004
【図３】
0003117165.tif 000005
【図４】
0003117165.tif 000006
【図５】
0003117165.tif 000007
【図６】
0003117165.tif 000008